(57)【特許請求の範囲】
【請求項１】
目地部のシーリング構造であって、シーリング材被着面の両側の目地部母材に捨て板を着脱自在に嵌め込み、該目地部にバックアップ材を装填してシーリング材を充填したことを特徴とする目地部のシーリング構造。
【請求項２】
目地部母材に捨て板を着脱自在に嵌め込む構造が、断面Ｌ字状の捨て板に、奥に向かって上方に傾斜した蟻足状の嵌め込み材を一体に形成したものを、目地部母材に設けた奥部を閉鎖した蟻溝に着脱自在に嵌め込む構造としたものである請求項１に記載の目地部のシーリング構造。
【請求項３】
捨て板が金属製または合成樹脂製からなる請求項１または２に記載の目地部のシーリング構造。
【発明の詳細な説明】
【０００１】
【産業上の利用分野】
本発明は、目地部のシーリング構造に関するものであり、建築物の外装材や外部開口部の弾性シーリング目地部の構造に関するものである。
【０００２】
【従来の技術】
目地部のシーリングは、プレキャストコンクリート板や金属パネルのジョイント部、サッシュ回り、ガラスはめ込み部などの目地に、水密・気密の目的でシーリング材を充填するものであるが、従来から行われている目地部のシーリング構造は、目地部の母材の被着面を清掃して、ポリエチレン独立気泡の発泡体等からなるバックアップ材を装填し、次に、下塗としてプライマーを塗布した後、シーリング材を充填するものである。
【０００３】
【発明が解決しようとする課題】
目地部に充填したシーリング材は固化するが、これが劣化した場合には、シーリングの打替えが必要である。しかし、この劣化したシーリング材を完全に取り除くことは困難で、手間のかかる作業であり、打替えの時間がかかり、そのコストがかさみ、さらに目地部の品質が劣化するという問題がある。
【０００４】
そして、このシーリングの打替え方法としては、拡孔法、切取り再施工法、ブリッジ法があるが、上記の問題を考慮して、図３に示すように、古いシーリング７の上に、両側の母材２にまたがってブリッジシーリング８を施すブリッジ法が用いられることが多いが、品質や外観のデザインの点で難点が多い。
【０００５】
本発明は、目地部のシーリングに関する上記の問題に鑑みてなされたものであり、その目的は、劣化したシーリング材を目地部から取り除くことが容易であって、打替え施工を比較的短時間ですることができ、かつ品質を確保することができる目地部のシーリング構造を提供することである。
【０００６】
【課題を解決するための手段】
本発明者は、上記の課題の解決について鋭意検討を重ねた結果、シーリング材被着面の両側の目地部母材に捨て板を設け、打替えの際はこの捨て板を取り替える構造に着目した。
【０００７】
本発明は、上記の着想に基づくものであり、その課題を達成する具体的な手段として、目地部のシーリング構造であって、シーリング材被着面の両側の目地部母材に捨て板を着脱自在に嵌め込み、該目地部にバックアップ材を装填してシーリング材を充填したことを特徴とする目地部のシーリング構造としたものである。
【０００８】
本発明に係る目地部のシーリング構造は、弾性シーリング目地部のシーリング材被着面の両側の目地部母材に捨て板を着脱自在に嵌め込み、その目地部にバックアップ材を装填してシーリング材を充填する構造からなるものである。
そして、目地部母材に捨て板を着脱自在に嵌め込む構造としては、断面Ｌ字状の捨て板に、奥に向かって上方に傾斜した蟻足状の嵌め込み材を一体に形成したものを、目地部母材に設けた奥部を閉鎖した蟻溝に着脱自在に嵌め込む構造とすることが好ましい。また、この捨て板は、金属製または合成樹脂製からなるものを使用することが望ましく、その捨て板の上下方向の継目は、奥に向かって上方に傾斜した形状となるように施工することが望ましい。
【０００９】
【作用】
本発明によれば、シーリング材被着面の目地部母材に捨て板を設けた構造とし、シーリング材の打替えの際はこの捨て板を取り替える構造としたことにより、劣化したシーリング材を目地部から取り除くことが容易であり、打替え施工を比較的短時間ですることができ、かつ品質を確保することができる。
【００１０】
また、目地部母材に捨て板を着脱自在に嵌め込む構造を、断面Ｌ字状の捨て板に、奥に向かって上方に傾斜した蟻足状の嵌め込み材を一体に形成したものを、目地部母材に設けた奥部を閉鎖した蟻溝に着脱自在に嵌め込む構造とし、かつその捨て板の上下方向の継目を、奥に向かって上方に傾斜した形状となるようにしたことにより、建物の内部方向に水が浸入するのを防止することができる。
【００１１】
【実施例】
以下実施例に基づいて本発明を説明する。
図１の（１）は、本発明に係る弾性シーリング目地部のシーリング構造を示す平面図であり、目地部１におけるシーリング材の被着面の両側の目地部母材２、２に捨て板３、３を着脱自在に嵌め込み、捨てシーリング４を打ち、目地部１の奥ににバックアップ材５を装填してシーリング材６を充填したものである。
【００１２】
上記の目地部母材２は、アルミニウム型材等からなるものが望ましく、捨て板３は、合成樹脂製またはアルミニウム等の金属材料からなるものが好ましい。
この捨て板３は断面Ｌ字状からなるものであり、下記の図２において説明するように、奥に向かって上方に傾斜した蟻足状の嵌め込み材３ａと一体に形成したものである。そして、この蟻足状の嵌め込み材３ａを、目地部母材に設けた奥部を閉鎖した蟻溝に着脱自在に嵌め込む構造とする。
また、バックアップ材５は、ポリエチレン独立気泡の発泡体等からなるものであり、下塗としてプライマーを塗布した後、シリコン系等のシーリング材６を充填する。
そして、図１（２）は、本発明に係る弾性シーリング目地部のシーリング構造の一部を示す側面図であり、目地部母材２、捨て板３とこれに一体に形成した蟻足状の嵌め込み材３ａと、シーリング材６を示すものである。
【００１３】
本発明に係る弾性シーリング目地部のシーリング構造を新しく施工する際は、目地部母材２に、捨て板３の蟻足状の嵌め込み材３ａを嵌め込み、捨てシーリング４を打ち、目地部１の奥ににバックアップ材５を装填してシーリング材６を充填する。そして、シーリングを打替える際は、シーリング材６を削り取り、バックアップ材５を外し、捨てシーリング４を取り、捨て板３の嵌め込み材３ａを外した後に、上記の新設時の工程を繰り返す。
【００１４】
次に図２は、本発明に係る弾性シーリング目地部のシーリング構造において、目地部におけるシーリング材の被着面の両側の目地部母材２、２に捨て板３、３を着脱自在に嵌め込む構造を示す斜視図である。
即ち、断面Ｌ字状の捨て板３に奥に向かって上方に傾斜した蟻足状の嵌め込み材３ａを一体に形成したものを、目地部母材２に設けた奥部２ｂを閉鎖した蟻溝２ａに着脱自在に嵌め込む構造とするものである。
また、この捨て板の上下方向の継目３ｂは、奥に向かって上方に傾斜した形状となるように施工することが望ましい。
【００１５】
【発明の効果】
本発明によれば、シーリング材被着面の目地部母材に捨て板を設け、シーリング材の打替えの際はこの捨て板を取り替える構造としたことにより、劣化したシーリング材を目地部から取り除くことが容易であり、打替え施工を比較的短時間ですることができて、かつ品質確保や経費節減をもたらすことができる。
【００１６】
また、目地部母材に捨て板を着脱自在に嵌め込む構造を、捨て板に奥に向かって上方に傾斜した蟻足状の嵌め込み材を一体に形成したものを、目地部母材に設けた奥部を閉鎖した蟻溝に着脱自在に嵌め込む構造とし、かつその捨て板の上下方向の継目を、奥に向かって上方に傾斜した形状となるようにしたことにより、建物の内部方向に水が浸入するのを防止することができる。
【図面の簡単な説明】
【図１】図１（１）は、本発明に係る目地部のシーリング構造を示す平面図であり、図１（２）は、その一部を示す側面図である。
【図２】図２は、本発明に係る目地部のシーリング構造において、目地部母材に捨て板を着脱自在に嵌め込む構造を示す斜視図である。
【図３】図３は、従来から実施されているシーリングの打替え方法の一つであるブリッジ法の施工状態を示す断面図である。
【符号の説明】
１      目地部                ２      目地部母材
２ａ    蟻溝                  ２ｂ    蟻溝の奥部
３      捨て板                ３ａ    蟻足状の嵌め込み材
３ｂ    捨て板の継目          ４      捨てシーリング
５      バックアップ材        ６      シーリング材
７      古いシーリング        ８      ブリッジシーリング
【図１】
0003581415.tif 000002
【図２】
0003581415.tif 000003
【図３】
0003581415.tif 000004